(57)【特許請求の範囲】
【請求項１】
原稿読み取りパス上に２個の読取手段を配置し、両面原稿の表裏を同時に読み取るように構成した通信端末装置において、
原稿１枚単位に片面原稿か両面原稿かを指示、設定する手段と、
送付票の有無を指示、設定する手段と、
設定に従い、片面原稿時は片側の読取手段を制御し、両面原稿時には両側の読取手段を制御し、送付票有りで両面原稿と設定された場合、両面原稿の先頭に付加された前記送付票のみを片面原稿として読み取り、以降は両面原稿として読み取るように制御する手段と、
前記送付票有りで両面原稿と設定された場合は、前記送付票読み取り時に裏面読み取り用の管光源を点灯させ、かつ、裏面の画像読み取りをスキップさせる手段とを有することを特徴とする通信端末装置。
【発明の詳細な説明】
【０００１】
【発明の属する技術分野】
本発明は、両面原稿の読取／蓄積を行う画像読取装置及びこれを備えた通信端末装置に関する。
【０００２】
【従来の技術】
例えば特開平６−８６０５２号公報に記載されている装置では、両面カラー原稿をスキャンし、その原稿が特定原稿であると判定されるまでの間に記録紙上に記録された画像を、記録紙排出前に消去している。また、記録媒体の一面への画像形成を停止するとき、少なくとも記録媒体の一面に白画像を重畳している。この方式では、画像メモリに余計な情報（白画像）を管理する必要がある。
なお、両面原稿を読取／蓄積する場合、奇数頁を連続して読み取り、全ての原稿を操作者が裏返してから偶数頁を連続して読み取る方式等が提案されている。この場合、１個の読取部によって両面原稿を読み取るように構成されている。
【０００３】
【発明が解決しようとする課題】
上記従来技術では、画像メモリに余計な情報（白画像）を管理する必要があり、画像蓄積装置（画像メモリ）を有効利用する点については配慮がなされていない。
本発明は、このような問題点を改善し、両面原稿を表裏同時に読み取れる構成の画像読取装置において、余計な情報（片面原稿の裏：通常は白紙）を文書管理しなくて済み、画像メモリを有効利用できるようにすることを目的とする。また無効情報頁を送出せず、両面原稿読取モード時の送付票や最終原稿の片面の読み取り時間を短縮し、効率的に読取／蓄積を行えるようにすることを目的とする。また本発明の画像読取装置を備えることにより、画情報を蓄積しながら送信を行うクイックメモリ送信にも対応可能な通信端末装置を提供することを目的とする。また読み取り用光源を効率的に制御し装置寿命を延ばすことを目的とする。
【０００４】
【課題を解決するための手段】
上記目的を達成するため、本発明の通信端末装置は、原稿読み取りパス上に２個の読取手段を配置し、両面原稿の表裏を同時に読み取るように構成した通信端末装置において、原稿１枚単位に片面原稿か両面原稿かを指示、設定する手段と、送付票の有無を指示、設定する手段と、設定に従い、片面原稿時は片側の読取手段を制御し、両面原稿時には両側の読取手段を制御し、送付票有りで両面原稿と設定された場合、両面原稿の先頭に付加された前記送付票のみを片面原稿として読み取り、以降は両面原稿として読み取るように制御する手段と、前記送付票有りで両面原稿と設定された場合は、前記送付票読み取り時に裏面読み取り用の管光源を点灯させ、かつ、裏面の画像読み取りをスキップさせる手段とを有することを特徴としている。
【０００５】
【発明の実施の形態】
本発明においては、操作表示部のキー操作等によって原稿読み取り前に片面／両面の区別を指示し、原稿１枚単位に切換えるように構成する。またこの指示に従い、余計な情報は文書管理しないように構成する。また送付票の有無を指示可能とし、送付票についてのみ片面原稿として扱うとともに、他の原稿とは別に管理する。またキセノンランプ等の管光源を、送付票読み取り時に両面用とも点灯し、最終片面原稿読み取り時については裏面用を消灯するように制御する。
【０００６】
以下、本発明の一実施例を図面により説明する。
（第１の実施例）
図１は、本発明の第１の実施例におけるファクシミリ装置の構成を示すブロック図であり、図２は本実施例の文書管理方法を示し、図３は本実施例の両面読み取り時の搬送パスを示すものである。
図１において、１はシステム制御部であり、各部の制御処理及びファクシミリ伝送制御手順を行う。２はシステムメモリであり、システム制御部１がプログラムを実行する時に必要なデータ等を記憶したり、ワークエリアとしての利用、さらにはシステム制御上必要なパラメータやユーザ操作等で得られる登録データを格納する。３は両面原稿を同時に読み取ることができるスキャナであり、所定の解像度で原稿を読み取る。４はプロッタであり、所定の解像度で画像またはレポート類を記録する。７は網制御部であり、公衆電話回線網に接続するためのもので、自動発信機能を有する。７は網制御部であり、公衆電話回線網に接続するためのもので、自動発信機能を有する。８はＧ３ＦＡＸモデムであり、グループ３ファクシミリのモデム機能を実現したものである。９は必要に応じ、送信画像や受信画像を記憶しておくための画像メモリであり、例えば読み取った情報を圧縮せずにそのまま（生で）あるいは圧縮して記憶するためのものである。１０は符号復号化部であり、生画像を定められた符号に圧縮したり、符号化された画像を元の生画像に伸長する。
【０００７】
また、１１は通信操作及び登録操作等を行う操作表示部であって、各種キーや表示器から構成され、例えば読み取る原稿が片面か両面かを指示する機能を有する。特に本実施例では、両面蓄積用のハードキー（以下、両面原稿キーと呼ぶ。図示せず。）とＬＥＤ（図示せず）とを連動させ、両面原稿キーを押下するとそれに対応するＬＥＤが点灯し、再度、両面原稿キーを押下するとそのＬＥＤが消灯するように構成する。すなわち、原稿読み取り動作前に両面原稿キーを操作することによって、両面原稿か片面稿かを示す情報を設定し、前記ＬＥＤの点灯中は両面蓄積中であることを示す。さらに蓄積結果が、前記システムメモリ２を構成するＲＡＭ上に更新されながら記憶されるように構成する。
あるいは、前記両面原稿キーを押下するとＬＣＤ上（例えばＬＣＤ表示面上の所定エリア）に両面原稿である旨（例えば「両面」という文字）が表示され、再度、両面原稿キーを押下すると片面原稿である旨の表示（例えば「片面」という文字）に切換わるように構成してもよい。また蓄積処理が終了した場合、この両面原稿キーの履歴を廃棄して必ず何れかの状態に戻すようにしてもよい。なおこれらの設定は、システムメモリ２に内部スイッチとして保持しておきスイッチ設定操作等で任意に切り換えられるようにしてもよい。
【０００８】
本実施例では、例えば１０枚の原稿を読み取る際、３枚目と９枚目が両面原稿であり、その他は片面原稿である場合には、１枚目の原稿については両面原稿キーを押下せずに片面を指示する。その際、表示が両面になっていれば両面原稿キーをクリアする。この後３枚目について、２枚目読み取り開始から３枚目読み取り開始までの間に両面原稿キーを押下して両面を指示する。また４枚目については、３枚目読み取り開始から４枚目読み取り開始までの間に両面原稿キーをクリアして片面を指示する。この後９枚目について、両面原稿キーを押下して両面を指示し、１０枚目については両面原稿キーをクリアして片面を指示する。このような操作により、「１枚目：片面」、「２枚目：片面」、「３枚目：両面」、「４枚目：片面」、「５枚目：片面」、「６枚目：片面」、「７枚目：片面」、「８枚目：片面」、「９枚目：両面」、「１０枚目：片面」と対応づけられた情報が記憶される。
【０００９】
次に図２により、画像メモリ９中の文書の扱いを簡単に説明する。
本実施例では、文書管理テーブル２０、頁管理テーブル３０、及び宛先管理テーブル４０は、システムメモリ２中に必要数設けられている。文書管理テーブル２０中には、文書を扱う各種パラメータ、例えば文書番号２１、文書タイプ２２、作成日時２３等をセットする。この中で、１頁目のポインタ２６は、画像メモリ９中に文書を格納する際に文書の第１頁目の頁管理テーブル３０を示すポインタであり、文書が複数頁の場合は図２のように順次次頁ポインタ３５を利用する。この頁管理テーブル３０では、他に蓄積文書のサイズ３１、線密度３２、符号モード３３といったパラメータと実際の文書の格納位置を示す画像ポインタ３４等をセットする。同様に宛先も１宛先目のポインタ２７で宛先管理テーブル４０を引用でき、この中に簡易コード４１、実行結果４２、次宛先ポインタ４３等をセットする。次頁がない場合や次宛先がない場合には、次頁ポインタ３５や次宛先ポインタ４３に最終を示す「ＮＵＬＬ」をセットする。
【００１０】
次に図３により、本実施例における読み取り時の搬送パスを説明する。
本実施例では、２個の駆動用モータ（ＭＯＴＯＲ（１）、ＭＯＴＯＲ（２））を備え、原稿面を上にしてセットして、第１頁（ｐ．１と図示する）から読み取る。ピックアップローラＲ（ｐ）で分離を行い、プリフィードローラ（Ｒｆｅｅｄ）に１枚原稿を搬送可とする。プリフィード処理としては原稿先端をローラＲ（１）先のセンサＳ（２）による検出位置＋αの位置まで持って行く。なお、センサＳ（１）は原稿の有無を調べるものであり、センサＳ（０）はセンサＳ（２）までの搬送路が長いため主として原稿ＪＡＭのチェックに用いるものである。フィードか開始されると、表面読み取りセンサＳ（４）が原稿有りとなっている間、読み取りを行う。
両面原稿の場合は、少し遅れて裏面読み取りセンサＳ（５）による裏面読み取りが並行して行われる。また必要に応じて、済みスタンプ５０によるスタンプ機能ＯＮ時は、片面原稿時には片面（下側）の両面原稿時は両方の済みスタンプ５０を原稿後端付近に押下できるものとする。なお、最近の読み取りセンサはキセノンランプと一体化されたＣＣＤであって密着センサと呼ばれる。また図３において、Ｒ（０）、Ｒｅｘｉｔは搬送ローラを示し、Ｓ（３）は手差しセットセンサを示す。
【００１１】
次に、本実施例における片面原稿の読取／蓄積処理を説明する。
本実施例では、スキャナ３にて読み取った情報を符号化復号化部１０で生または圧縮して画像メモリ９に蓄積する。また、読み取る原稿が片面か両面かは前述のように操作表示部１１にて指示する。この際、基本的にはファイル単位に選択し、前述のように片面原稿と両面原稿が混在した場合には、この両面原稿キーを利用してファイルの中でも「両面」と「片面」を切り換えられるように構成している。なお、片面／両面読み取り時のＬＥＤによる蓄積表示方式として、本実施例では、図４に示すＡ方式（片面原稿時は（ａ）、両面原稿時は（ｂ））、あるいはＢ方式（片面原稿時は（ｃ）、両面原稿時は（ｄ））を用いる。このＡ方式による片面蓄積表示画面７０１、両面蓄積表示画面７０２では、メモリ残量、片面／両面の区別、ページ数、ファイル番号を表示する。またＢ方式による片面蓄積表示画面７０３、両面蓄積表示画面７０４では、メモリ残量、ページ数、ファイル番号を表示し、片面／両面の区別は表示せず、ページ数によって区別している（本実施例では両面の場合、ページ数を「１＆２」と表示）。なお、このような表示を行うためのパラメータ群は、システムメモリ（ＲＡＭ）２上に図５に示す通り記憶されている。図５において、（Ａ）は前記Ａ方式におけるパラメータ群であり、片面／両面読み取り時の表示処理の引数のイメージ７２０は、ファイル番号７１１、メモリ残量７１２、ページ数７１４、片面／両面（の区別）７１５からなる。また（Ｂ）は前記Ｂ方式におけるパラメータ群であって、片面／両面読み取り時の表示処理の引数のイメージ７３０は、ファイル番号７１１、メモリ残量７１２、表裏面のページ数７１６，７１７からなり、片面の場合にはページ数７１７は「ＮＵＬＬ」となる。また（Ｃ）は従来方式における片面読み取り時の表示処理の引数のイメージ７１０であって、ファイル番号７１１、メモリ残量７１２、ページ数７１３からなり、片面／両面の区別を表示するためのパラメータは有しない。
【００１２】
本実施例では、図６の（ａ）に示すように、蓄積が開始されるとまず関係部分の初期化処理を実施し（ステップ４０１）、ファイルをオープン状態にする（ステップ４０２）。これはシステムメモリ２上の文書管理テーブル２０を蓄積用に新規に割当てる、という意味で文書番号２１、文書タイプ２２、作成日時２３等はこのときにセットされるものとする。次いで頁カウンタ（図示せず）を設定する。本実施例の頁カウンタ値は、システムメモリ２中に割当てられているものとし、前記の初期化処理で「０」に初期化されているものとする。このような蓄積処理中を表示するためのパラメータ群は図５に示した通りである。
次に、原稿があれば、図３にて説明した通りプリフィードを実施する（ステップ４０３）。
次に、原稿が片面か両面かを上記両面原稿キーの状態を記憶したＲＡＭ（システムメモリ）から参照して目的の読取モードに分岐する（ステップ４０４）。その結果、片面の場合には頁カウンタを「＋１」し（ステップ４０５）、両面の場合には頁カウンタを「＋２」する（ステップ４１０）。
次に、原稿を読み取りながら蓄積処理を行う（ステップ４０６，４１１）。
【００１３】
このステップ４０６の概要は図６（ｃ）に示す通りである。
すなわち片面原稿の場合は、本実施例でも従来と同様に、１頁（表）のオープン処理を行う（ステップ４３１）。この際、頁管理テーブル３０を１個新規に割当て、前述の文書管理テーブル２０の１頁目のポインタ２６がこれを指すようにする。また頁管理テーブル３０の中にはサイズ（蓄積幅）３１、線密度３２、符号モード３３をセットする。このサイズ３１は原稿幅センサ（図示せず）にて検出する。なお原稿幅センサは、図３に示したセンサＳ（１）付近にあり、通常はＡ４幅〜Ｂ４幅〜Ａ３幅を認識するため２個設置される。つまり２個の原稿幅センサの両方がＯＦＦでＡ４、両方がＯＮでＡ３、センタ寄りの片側がＯＮでＢ４と判断する。また線密度３２は、ユーザ操作で選択されるものとし、指示されたものを反映させる。また符号モード３３は、生／ＭＨ／ＭＲ／ＭＭＲ等があるが通常はサービス切換えであり、その設定内容を反映させる。さらに、実際に利用する画像メモリの開始アドレスを画像ポインタ３４に記憶させる。
以上の処理が終わればライン単位に画像を読み取り、これを符号化して画像メモリ９に蓄積する（ステップ４３２）。なおこの蓄積処理については既知の技術であり、本発明の要部ではないので省略する。上記頁単位の読取／蓄積処理（ステップ４３２）が終了した後、頁クローズ処理（ステップ４３３）を行う。ここでは、処理終了の意味で、前述の頁管理テーブル３０の次頁ポインタを暫定的にＮＵＬＬとしておく。
【００１４】
一方、ステップ４１１の概要は図６（ｂ）に示す通りである。なお両面原稿の場合には、まず初期化処理でも必要なパラメータも当然変わるが、ここでは読取／蓄積処理に関して説明する。
すなわち両面原稿である場合には、まず上記の頁オープン処理と同様に表について扱う（ステップ４２１）。さらに裏の頁オープン処理を行うため、１個の頁管理テーブル３０を割当てる（ステップ４２２）。この場合、表の次頁ポインタが裏の頁管理テーブルを指す必要がある。例えば読取モードはここでは表裏同一として扱うものとし、両方の頁管理テーブルのサイズ、線密度、符号モードは同一の値をセットする。以上の処理では、実際の読み取りを行っていないにも拘らずファイル管理上では２頁目までの情報がセットされる。
次に、読取／蓄積処理（表、裏）を行う（ステップ４２３，４２４）。この場合、実際に光学的に読み取る情報は生であり、これをラインバッファ（図示せず）等に順次格納し符号化復号化部１０で符号化し画像メモリ９に蓄積する手法が知られている。本実施例では、ラインバッファを２個持ち、符号化復号化部１０は２個持つかライン単位で切換えられるように構成する。以上の構成で表裏別々に画像処理のパスが形成され、結果として２頁分の情報がほぼ同時に、画像メモリ９に格納される。ここで表の蓄積パスから得られるものを「ページ１」、裏のそれを「ページ２」として格納しておく。
こうして表裏両方の読取／蓄積処理（ステップ４２３，４２４）が終了してから（通常は片側の処理が早く終わるが）、表裏の頁クローズ処理を行う（ステップ４２５，４２６）。この頁クローズ処理でも２個目の次頁ポインタ（ステップ４２６における裏頁の次頁ポインタ）をＮＵＬＬとしておく。
このような制御によって両面原稿の表裏を同時に読み取って、ほぼ同時に蓄積することができる。また以上説明した片面／両面原稿の読取／蓄積処理で、原稿単位に片面か両面かを上記両面原稿キーの指示を反映した内容から、原稿読み取り前に判断することで、１ファイルとして蓄積する原稿内に片面／両面原稿が混在していても適切に蓄積しファイル管理できる。
【００１５】
これらの読取／蓄積処理の後、次の原稿がなければ（ステップ４０７のＮｏ）、ファイルクローズ処理を行って（ステップ４０８）、蓄積処理を終了する。なおファイルクローズ処理では、頁カウンタを文書管理テーブル２０にセットしたり、蓄積が終了して送信待機中である旨の設定（図示せず）を行うものとする。一方、次の原稿があれば（ステップ４０７のＹｅｓ）、ステップ４０４に戻り再度頁単位の処理を行う。この場合、２頁目以降では前の頁管理テーブル２０の次頁ポインタ３５が次の頁管理テーブルを指すように設定する。
【００１６】
（第２の実施例）
図７は、本発明の第２の実施例における片面／両面原稿の読取／蓄積処理手順及び表示内容を示す図であり、第１の実施例（図６）と対応する。また、第１の実施例で示した基本的な構成（図１〜図３）及び機能は本実施でも同様とする。上記第１の実施例では、操作者が片面／両面の切換え指示を行う必要があったが、本実施例では、第１の実施例で示した画像読取装置を有する通信端末であって、その通信端末において送付票指示がある場合、蓄積処理中に操作者が介在しなくても、第１の実施例と同様の効果が得られる装置を示す。
本実施例では、メモリ蓄積時における操作表示部（図１の１１）での操作（片面／両面の指示、送付票付加の指示等）は、ＬＥＤ表示画面上でテンキー等によるメニュー選択にて行うように構成する。すなわち、ＬＥＤ自体をタッチパネルとし、片面あるいは両面の表示部分を押下するとその表示部分が反転表示されるように構成する。また本実施例では、第１の実施例のように片面／両面の切換えを頻繁に行うことは想定せず、送付票及び最終原稿が奇数頁の場合を例外として扱う。例えば、図７（ｂ）のＬＥＤ表示画面５０２に示すように、操作表示部（図１の１１）でメモリ蓄積時に相手先まで入力している場合、ここで、オプションを指示する下スクロールキー（図示せず）を押し、オプションの選択画面（図７（ｂ）のＬＥＤ表示画面５０３）に進むものとし、ここで両面原稿の指示や送付票の指示を行う。設定が終了すれば下スクロールキーを押して設定終了とし、画面５０２に戻る。つまり、各選択を行う際はテンキー等でメニューを選択し、メニューが選択されると左右のスクロールキー等で必要に応じて選択するように構成する。
【００１７】
次に図７（ａ）を用い、本実施例の送付票付加処理にについて説明する。なお本実施例においても、ファイル単位に両面か片面かを指示するものとし、簡単のため、第１の実施例と重複する部分の説明は省略する。
本実施例では、ステップ５１０において、片面原稿であれば送付票の有無によらず全て片面原稿として読み取る。逆に片面原稿でない場合には、まず最初の原稿かどうかを頁カウンタで評価し（最初の原稿であれば初期化処理４０２の結果「０」であることから評価し）、「ページ０」の場合（最初の原稿である場合）、さらに上記の機能選択情報を読み取り、送付票の有無を判断する。こうして両方の条件を満たした場合（ステップ５１０のＹｅｓ）には、両面原稿読取中に拘らず片面原稿として読み取る（ステップ４０５，４０６）。一方、両面原稿であって送付票がない場合（ステップ５１０のＮｏ）には、両面原稿であると判断されたことになり、第１の実施例と同様に両面の読み取り／蓄積を実施する（ステップ４１０，４１１）。以上の判断を加えることで両面／片面（送付表）の混在原稿を順次読取／蓄積できる。
【００１８】
なお、蓄積文書管理上も片面の送付票時は１回の頁オープン及び頁クローズによって実施するので、１個の頁管理テーブルのみを用意し、両面の原稿時は２回の頁オープン及び頁クローズによって実施するので、２個の頁管理テーブルを一度に用意する。また、頁カウント処理（ステップ４０５，４１０）では、上記の判断が反映されるので、送付票時は「＋１」とし、両面原稿時は「＋２」とするように制御される。
本実施例によれば、送付票の裏となる無効な頁を読む必要がなくなるので、最近多くなりつつあるクイックメモリ送信（相手接続処理を蓄積処理と同時に進め、Ｐ１読取後には画情報の送出を行う方式）が可能となる。
【００１９】
（第３の実施例）
図８は、本発明の第３の実施例における片面／両面原稿の読取／蓄積処理手順及び表示内容を示す図であり、第１の実施例（図６）と対応する。また、第１の実施例で示した基本的な構成（図１〜図３）及び機能は本実施例でも同様とする。
上記第１の実施例では、操作者が片面／両面の切換え指示を行う必要があったが、本実施例では、第１の実施例で示した画像読取装置を有する通信端末であって、通信端末において両面原稿蓄積を行う場合に最終の原稿が片面原稿の場合（奇数頁）、蓄積処理中に操作者が介在しなくとも、第１の実施例と同様の効果が得られる装置を示す。
【００２０】
本実施例では、メモリ蓄積時における操作表示部（図１の１１）での操作（両面原稿の最終頁が片面の場合の指示等）は、ＬＥＤ表示画面上でテンキー等によるメニュー選択にて行うように構成する。例えば、図８（ｂ）のＬＥＤ表示画面６０２において、メモリ蓄積時に相手先まで入力している場合、下スクロールキー（図示せず）を押下してオプションの選択画面（ＬＥＤ表示画面６０３）に遷移する。この画面６０３において、テンキー（図示せず）の「０」、「３」を押下し、さらに原稿枚数の入力画面６０４に遷移する。この画面６０４では、テンキー「９」を押下して画面６０５へ移り、この画面６０５では、Ｙｅｓを選択して画面６０３へ戻る。さらに画面６０３で選択完了を押下し画面６０２へ戻るように構成する。
【００２１】
次に図８（ａ）を用い、本実施例の最終片面頁の指示手順について説明する。なお本実施例においても、ファイル単位に両面か片面かを指示し、両面原稿であることはシステムメモリ（ＲＡＭ）の設定にて判断するものとし、簡単のため、上記実施例と重複する部分の説明は省略する。
本実施例では、ステップ６１０において、両面原稿時にはまず最終の原稿かどうかを頁カウンタ（頁カウント処理４０５の結果）と上記の原稿枚数指示（両面時は頁数）とにより評価する。この際、後者が奇数かどうかを判定し、奇数であって、＜前者カウンタ＝頁カウント＞の場合に最終原稿と判断する。この条件を満たした場合（ステップ６１０のＹｅｓ）には、両面原稿読み取り中に拘らず片面原稿として読み取る。そうでない場合（ステップ６１０のＮｏ）には、両面原稿である判断されたことになり、第１の実施例と同様に両面の読取／蓄積（ステップ４１０，４１１）を実施する。以上の判断を加えることで、両面／片面（最終頁が白紙）の混在原稿を順次読み取り／蓄積できる。
【００２２】
なお、蓄積文書管理上も片面の送付票時は１回の頁オープン／頁クローズによって実施するので、１個の頁管理テーブルを用意し、両面の原稿時は２回の頁オープン／頁クローズによって実施するので、２個の頁管理テーブルを一度に用意する。また、頁カウント処理（ステップ４０５，４１０）でも上記の判断（ステップ６１０）が既になされているので、最終原稿が片面の場合（頁数が奇数）は「＋１」とし、両面でそれ以外の場合は「＋２」とすることは言うまでもない。
【００２３】
また、処理中の頁カウンタは何れの場合も（最終頁が偶数でも奇数でも）同一値となるが、蓄積頁のトータルカウンタは奇数時と偶数時で異なる値となる。前記処理中の頁カウンタとは実行中表示等に用いるものであり、例えば両面原稿の２枚目を読んでいる場合は通常３頁及び４頁であり、３頁として表示する（初期値が「１」で順次「＋２」する）が、実際には４頁までの処理を行うので蓄積頁のトータルカウンタでは４頁として扱う必要がある。以下、より具体的に説明する。例えば両面原稿が５枚あり、最終原稿が片面の時は、頁カウント処理（ステップ４０５）で「８」（面数×４）が「＋１」されて「９」となり、図４に示した画面７０１または画面７０３の表示を行う。一方、最終原稿が両面の時は、頁カウント処理（ステップ４１０）で「８」（面数×４）が「＋２」されて「１０」となり、図４に示した画面７０２または画面７０４の表示を行う。すなわち、Ａ方式で片面時、引数は図５に示したページ数７１４＝「９」、片面／両面７１５＝「片面」として通知する。またＡ方式で両面時、引数は図５に示したページ数７１４＝「９」、片面／両面７１５＝「片面」として通知する。またＢ方式で片面時、引数は図５に示したページ数７１６＝「９」、ページ数７１７＝「ＮＵＬＬ」として通知する。またＢ方式で両面時、引数は図５に示したページ数７１６＝「９」、ページ数７１７＝「１０」として通知する。
【００２４】
（第４の実施例）
図９は、本発明の第４の実施例における片面／両面原稿の読取／蓄積処理手順を示す図であり、第１の実施例（図６）と対応する。また第１の実施例で示した基本的な構成（図１〜図３）及び機能は本実施例でも同様とする。さらに、本実施例では、第２の実施例のように両面原稿と送付票とが混在する場合が発生し、送付票の有無は原稿が片面かどうかの指示とは別に操作表示部より与えられるものとする。
本実施例では、ステップ８１０及びステップ８１１に示すように、送付票チェックと片面原稿指示チェックとを別々に行う。このため、図１０に示すように、文書管理テーブル２０に送付票のポインタ２５を持ち、このポインタ２５が指す頁管理テーブル３０’に送付票のパラメータ６０を格納するように構成する。そして、送付票がある場合にはこのポインタ２５により送付票用の頁管理テーブル３０’を指し、指付票がない場合にはここに「ＮＵＬＬ」をセットしておく。なお通常、送付票は１枚（片面）であり、１頁目のポインタ２６によって指された頁管理テーブル３０内の次頁ポインタ３５は「ＮＵＬＬ」となる。また前述のように送付票は片面原稿であるので、上記判断で送付票有りの場合には（ステップ８１０のＹｅｓ）、ステップ４０５，４０６に進み片面原稿として読み取る。
なお、ＬＥＤ画面の表示切換えタイミングは、図９のＴ１，Ｔ２に示す通りである。この表示切換えタイミングは各実施例と同様である。
【００２５】
（第５の実施例）
図１１は、本発明の第５の実施例における片面／両面原稿の読取／蓄積処理手順を示す図である。なお第１の実施例で示した基本的な構成（図１〜図３）及び蓄積表示機能等は本実施例でも同様とする。特に本実施例では、スキャナを構成するキセノンランプのプリヒート動作を無駄なく効果的に行う方法を示す。
ステップ１００１において両面原稿と判断された場合は、送付票の有無に拘らずキセノンランプに関しては、余熱（プリヒート）時間（安定時間が早いものでも１秒程度）を与えておく必要がある。例えば、第２〜第４の実施例のように最初の原稿をプリフィード（図７〜図９のステップ４０３）した後で、プリヒートさせると最初の原稿の読取開始が遅くなる。そこで本実施例では、両面原稿でかつ送付票がある場合でも（実際の送付票読み取りは片面読み取りであるが）、上下２個のキセノンランプを共に第１の原稿読み取り処理に合わせて必ずプリヒートさせるように制御する（ステップ１００３）。この制御によって複雑な処理を回避し、余分な待ち時間処理を行うことなく安定した光量が最初から与えられる。なお片面原稿である場合には、表面用のキセノンランプのみをプリヒートする。
【００２６】
また、両面原稿読み取り中に最終原稿が片面の場合には（ステップ１００４，１００５ａのＹｅｓ，１００５ｂのＹｅｓ，１００５ｃのＹｅｓ）、裏面用のキセノンランプの状態をＯＦＦ（消灯）とする（ステップ１００６）。これは次の理由による。例えば、第３の実施例では、両面原稿読み取り中に最終原稿が片面の場合には片面読み取りを行い、本実施例のステップ１００３では上下のキセノンランプを同様に制御するが、両面原稿読み取り中に最終原稿が片面の場合においては、裏面に対するキセノンランプの光量は意味を持たず、裏面用を消灯することによって裏面のキセノンランプの寿命を延ばすことができる。
なお、ステップ１００４の処理は、例えば図９に示したステップ８１０，８１１，４０５，４１０に対応し、本実施例ではステップ４０５，４１０とステップ４０６，４１１の間にスキップ処理（ステップ１００５，１００６）を加えている。
【００２７】
【発明の効果】
以上説明したように、本発明によれば、両面原稿の表裏同時に読み取れる自動原稿給紙装置において、複数の原稿を順次読取る場合に指示によって片面読取りと両面読取りを切り換えられるので、余計な情報（片面原稿の裏：通常は白紙）を文書管理しなくて済み、画像蓄積装置の画像メモリを有効利用できる。
また、両面原稿が指示され、さらに指付票付加を行う場合に、送付所のみ片面原稿として扱い以後は両面原稿として扱うことで送付票の読み取り時間を短縮できる。従って、上記の加え、本発明の画像読取装置を通信端末に組み込むことにより、無効情報頁の送出を防止できる。また、両面原稿読取モード時に送付票の読み取り時間を短縮できる。また両面原稿読取モード時の文書管理が簡単になる。さらに、画情報を蓄積しながら送信を行うクイックメモリ送信にも対応できる。
【図面の簡単な説明】
【図１】本発明の第１の実施例におけるファクシミリ装置の構成を示すブロック図である。
【図２】本発明の第１の実施例における文書管理方法を示す図である。
【図３】本発明の第１の実施例における両面読み取り時の搬送パスを示す図である。
【図４】本発明の第１の実施例における蓄積表示方法（画面表示）を示す図である。
【図５】本発明の第１の実施例におけるシステムメモリ上の蓄積表示パラメータ群を示す図である。
【図６】本発明の第１の実施例における片面／両面原稿の読取／蓄積処理手順を示す図である。
【図７】本発明の第２の実施例における片面／両面原稿の読取／蓄積処理手順及び表示内容を示す図である。
【図８】本発明の第３の実施例における片面／両面原稿の読取／蓄積処理手順及び表示内容を示す図である。
【図９】本発明の第４の実施例における片面／両面原稿の読取／蓄積処理手順を示す図である。
【図１０】本発明の第４の実施例における文書管理方法を示す図である。
【図１１】本発明の第５の実施例における片面／両面原稿の読取／蓄積処理手順を示す図である。
【符号の説明】
１：システム制御部、２：システムメモリ、３：スキャナ、４：プロッタ、５７：網制御部、８：Ｇ３ＦＡＸモデム、９：画像メモリ、１０：符号化復号化部、１１：操作表示部、１２：システムバス。
【図１】
0003560195.tif 000002
【図２】
0003560195.tif 000003
【図３】
0003560195.tif 000004
【図４】
0003560195.tif 000005
【図５】
0003560195.tif 000006
【図６】
0003560195.tif 000007
【図７】
0003560195.tif 000008
【図８】
0003560195.tif 000009
【図９】
0003560195.tif 000010
【図１０】
0003560195.tif 000011
【図１１】
0003560195.tif 000012